(57)【特許請求の範囲】
【請求項１】
底壁及びこの底壁外周に立設する周側壁を有し前記底壁の対向面に開口を有する照明ケースと、この照明ケース内で前記底壁に配設される照明部と、前記照明ケースの内側に配設され前記照明部を覆い前記照明部からの光を前記開口を通して外部に出射するカバーと、前記照明ケース内で前記カバーの外側に樹脂が充填されて前記カバーの内側の前記照明部を封止する封止部とを備え、前記カバーは、開口部を有しこの開口部の内側に配置される前記照明部を覆う透光性のカバー部と前記開口部の端縁から前記周側壁側に突出して鍔状に形成され前記底壁に配設されるフランジ部とを有し、前記フランジ部は、その外形形状が前記照明ケースの周側壁の内側形状と略一致する形状であって、その裏面が前記照明ケースの底壁に当接するものであり、前記カバーにおいて、前記照明部からの光を外部に出射する光出射面を少なくとも除く前記カバー部及び前記フランジ部が前記封止部で覆われていることを特徴とする照明装置。
【請求項２】
前記照明部に配線部が設けられ、前記カバーのカバー部には、内外に貫通する配線開口部が設けられ、この配線開口部の周縁部に板状のリブが前記カバー部の外側面に立設され、前記配線開口部に前記照明部の配線部を挿通させた状態で前記リブの内側に樹脂が充填されて前記配線開口部が封止されていることを特徴とする請求項１に記載の照明装置。
【請求項３】
前記カバーのカバー部には、前記照明部の光を導出する導光部が形成されていることを特徴とする請求項１または２に記載の照明装置。
【請求項４】
前記カバーのカバー部の光出射面及び前記照明部からの光の光入射面の少なくとも一方にレンズ面が形成されていることを特徴とする請求項１または２に記載の照明装置。
【発明の詳細な説明】
【技術分野】
【０００１】
本発明は、照明装置に関する。
【背景技術】
【０００２】
ＬＥＤ等の光源を有する照明装置を屋外又は水廻りにおいて使用する場合には、光源を搭載した基板を含む照明ユニットを水や湿気から保護するために樹脂を充填して照明ユニットを封止することが知られている。例えば、特許文献１では、図６に示すような照明器具４０が提案されている。この照明器具４０は、開口４２を有する略円筒状の器具本体４１を備えている。器具本体４１内部には、開口４２を通して外部に光を照射するＬＥＤ４３を搭載したＬＥＤユニット４４が収納され、ＬＥＤユニット４４からの光の配光を制御するレンズ部４５がＬＥＤユニット４４に対して開口４２側に設けられている。また、器具本体４１内部には、ＬＥＤユニット４４及びレンズ部４５を覆う透明なカバー４６がレンズ部４５に対して開口４２側に設けられ、そのカバー４６の外側に透光性樹脂が充填されている。充填された透光性樹脂はカバー４６の外側全面を覆う封止部４７として形成され、この封止部４７によってカバー４６内側のＬＥＤユニット４４が封止されている。そして、カバー４６の内側面とレンズ部４５との間には空気層４８が形成されている。
【０００３】
この照明器具４０によれば、封止部４７によってカバー４６内側のＬＥＤユニット４４が封止されているので防水性を確保することができる。また、カバー４６の内側面とレンズ部４５との間の空気層４８によって光の屈折効果が得られるので、ＬＥＤユニット４４からの光を所望の配光に制御することができる。
【先行技術文献】
【特許文献】
【０００４】
【特許文献１】特開２００８−２９３９２８号公報
【発明の概要】
【発明が解決しようとする課題】
【０００５】
しかしながら、透光性樹脂の材質によってはＬＥＤユニット４４からの照射光の特定波長を吸収するなどして照射光の色が変わる場合があるので、封止部４７の原料となる透光性樹脂の選択が難しいという問題がある。また、透光性樹脂自体も劣化変色し、その劣化変色が照射光に影響を与えることもあるので、透光性樹脂の選択はより一層難しい。さらにまた、器具本体４１内においてカバー４６の外側全面にわたって封止部４７が形成されているので、多量の透光性樹脂を要し充填時間もかかるなどの問題があり、低コスト化が望まれている。
【０００６】
本発明は、以上の通りの事情に鑑みてなされたものであり、防水性を確保しつつ光性能に与える封止部の影響を抑制し、封止部の樹脂量を軽減できる照明装置を提供することを課題としている。
【課題を解決するための手段】
【０００７】
本発明の照明装置は、底壁及びこの底壁外周に立設する周側壁を有し底壁の対向面に開口を有する照明ケースと、この照明ケース内で底壁に配設される照明部と、照明ケースの内側に配設され照明部を覆い照明部からの光を開口を通して外部に出射するカバーと、照明ケース内でカバーの外側に樹脂が充填されてカバーの内側の照明部を封止する封止部とを備え、カバーは、開口部を有しこの開口部の内側に配置される照明部を覆う透光性のカバー部と開口部の端縁から周側壁側に突出して鍔状に形成され底壁に配設されるフランジ部とを有し、カバーにおいて、照明部からの光を外部に出射する光出射面を少なくとも除くカバー部及びフランジ部が封止部で覆われていることを特徴とする。
【０００８】
この照明装置において、照明部に配線部が設けられ、カバーのカバー部には、内外に貫通する配線開口部が設けられ、この配線開口部の周縁部に板状のリブがカバー部の外側面に立設され、配線開口部に照明部の配線部を挿通させた状態でリブの内側に樹脂が充填されて配線開口部が封止されていることが好ましい。
【０００９】
この照明装置において、カバーのカバー部には、照明部の光を導出する導光部が形成されていることが好ましい。
【００１０】
また、この照明装置において、カバーのカバー部の光出射面及び照明部からの光の光入射面の少なくとも一方にレンズ面が形成されていることが好ましい。
【発明の効果】
【００１１】
本発明の照明装置においては、光出射面を除くカバーが封止部で覆われる。これにより、カバーの内側の照明部の防水性が確保され、光性能に与える封止部の影響を抑制することができる。また、封止部の樹脂量を軽減できる。
【図面の簡単な説明】
【００１２】
【図１】本発明の照明装置の一実施形態を示す断面図である。
【図２】図１の照明装置において封止部を除いた分解斜視図である。
【図３】別の実施形態の照明装置の断面図である。
【図４】さらに別の実施形態の照明装置を天井材に設置した状態を示す断面図である。
【図５】さらに別の実施形態の照明装置の断面図であり、（ａ）〜（ｄ）はそれぞれ各種レンズ面をカバー部に形成した一例である。
【図６】従来の照明器具の断面図である。
【発明を実施するための形態】
【００１３】
以下、図面を参照して本発明の実施形態を説明する。
【００１４】
図１は、本発明の照明装置の一実施形態を示す断面図である。図２は、図１の照明装置において封止部を除いた分解斜視図である。
【００１５】
照明装置１は、筒状の照明ケース２と、照明ケース２内に収納される照明部４と、照明部４を覆うカバー１０と、照明部４を封止する封止部３０とを有している。
【００１６】
照明ケース２は、合成樹脂製又は金属製の箱型に形成されており、矩形状の底壁２ａとこの底壁２ａの外周四辺から立ち上がる矩形状の周側壁２ｂで構成され、底壁２ａの対向面は開口３を有している。
【００１７】
照明部４は、ＬＥＤ等の光源５と、この光源５を搭載する、底壁２ａよりも小径の基板６で構成されている。光源５を搭載した基板６は、照明ケース２の開口３側に光源５が配置されるように照明ケース２の底壁２ａに配設され、照明ケース２内に収納されている。これにより、光源５からの光が照明ケース２の開口３を通して外部に照射されるようになっている。
【００１８】
カバー１０は、照明部４を覆うように照明ケース２の内側に配設されるものであり、開口部１２を有する筒状ののカバー部１１と、このカバー部１１の開口部１２外周に鍔状に形成されているフランジ部２６とから構成される。本実施形態においては、矩形箱状のカバー部１１の一面に形成されている開口部１２の内側に照明部４が配置され、基板６の周縁及び光源搭載面がカバー部１１で覆われている。ここで、カバー部１１の内側面１３と光源５は離間しており、カバー部１１と光源５との間には空気層１７が形成されている。また、カバー部１１は、照明ケース２の周側壁２ｂの高さと同じ又は略同じ高さを有し、開口３側に位置するカバー部１１の外側面１４が、照明ケース２の周側壁２ｂの上端面２ｃと同一の高さまたは略同一の高さに形成されている。フランジ部２６は、カバー部１１の開口部１２の端縁から照明ケース２の周側壁２ｂに向かって突出して鍔状に形成され、裏面が照明ケース２の底壁２ａに当接している。フランジ部２６の外形形状は、照明ケース２の周側壁２ｂの内側形状と略一致する矩形形状を有する。したがって、照明ケース２の内側にカバー１０が配設された状態においては、カバー１０のフランジ部２６の側端が照明ケース２の周側壁２ｂに接しているか、もしくはほとんど隙間がないような状態となっている。このフランジ部２６は、後述する封止部３０の樹脂が充填される際にその樹脂が流動しやすいように、幅（カバー部１１の開口部１２から周側壁２ｂに向かう突出長さ）が１ｍｍ以上であることが好ましい。照明ケース２はこのような幅を有するフランジ部２６が確保されるような大きさに設定される。
【００１９】
本実施形態においては、カバー部１１及びフランジ部２６がアクリル樹脂やポリカーボネート樹脂等の透明性合成樹脂で一体に形成され、透光性を有する。このため、照明部４の光源５の光は、カバー部１１を透過し、カバー部１１の光出射面１５から出射される。ここで、カバー部１１の光出射面１５とは、光源５に対向するカバー部１１の面（内側面１３）とは反対側の面（外側面１４）に形成され、光源５からの光を照明ケース２の開口３を通して外部に向かって出射する面のことを指す。
【００２０】
封止部３０は、照明ケース２の内部においてカバー１０の外側の空間に樹脂が充填されて形成されており、これによってカバー１０の内側の照明部４が封止されている。ここで、光出射面１５を少なくとも除いたカバー部１１の外側面１４及びフランジ部２６の外側面が封止部３０で覆われるようにされている。本実施形態では、上記のとおり、開口３側に位置するカバー部１１の外側面１４が照明ケース２の周側壁２ｂの上端面２ｃと同一の高さまたは略同一の高さに形成されている。このため、照明ケース２の内部に樹脂を完全に満たした場合でもカバー部１１の外側面１４の一部、つまり、開口３側に位置する外側面１４は樹脂で覆われず外部に露出する。この露出した面が光出射面１５とされ、光源５からの光はこの光出射面１５から外部に照射される。
【００２１】
封止部３０を形成する樹脂は、透明性を有するものでなくてもよく、封止材として使用されているものであれば特に制限されない。例えば、入手が容易で安価なエポキシ樹脂等の合成樹脂を用いることができる。
【００２２】
以上のように、本実施形態では、カバー１０において光出射面１５を除く光出射面１５周辺部が封止部３０で覆われているので、カバー１０の内側の照明部４の防水性を確保しつつ封止部３０が光出射面１５に与える影響を抑制することができる。封止部３０の樹脂量も軽減できる。また、カバー１０の内側には封止部３０が形成されておらずカバー１０のカバー部１１と照明部４との間には空気層１７が形成されているので、照明部４の光性能が封止部３０の影響を受けにくいという利点もある。さらに、カバー部１１の光出射面１５に対向して導光材を配置した場合には、カバー部１１の高さを適宜調整して光出射面１５と照明部４との間の距離を短くすることで、導光材と照明部４との間の距離も短くすることができ、導光材への入光効率を向上させることができる。
【００２３】
以上の実施形態では、開口３側に位置するカバー部１１の外側面１４が照明ケース２の周側壁２ｂの上端面２ｃと同一の高さまたは略同一の高さに形成されているが、これに限定されるものではない。例えば、開口３側に位置するカバー部１１の外側面１４が周側壁２ｂの上端面２ｃよりも高く、あるいは低くなるように、カバー部１１の高さや照明ケース２の周側壁２ｂの高さを設定することができる。もちろん、いずれの場合にも、カバー部１１の光出射面１５を除いた部分が樹脂で覆われるように、照明ケース２の内部のカバー１０の外側の空間に樹脂を充填することが考慮される。
【００２４】
図３に、別の実施形態の照明装置の断面図を示す。図１−図２に示した照明装置と同じ部分には同一の符号を付し、その説明を省略する。
【００２５】
照明部４の基板６には、電源を供給するための配線コネクタ８や配線等の配線部７が設けられており、図３の照明部４では断面視矩形状の配線コネクタ８が光源５側の面に設けられている。カバー１０のカバー部１１には、配線コネクタ８の外形形状に略一致する形状を有する、内外に貫通する配線開口部１８が形成され、配線コネクタ８は、この配線開口部１８から外部に通じている。
【００２６】
カバー部１１の外側面１４には、配線開口部１８端縁からやや離れた周縁部に板状のリブ１９が外方に立ち上がり、配線開口部１８を囲むようにして略ロ字形に設けられている。配線開口部１８に配線コネクタ８を挿通させた状態でリブ１９で囲まれる空間に樹脂が充填されて配線開口部封止部３１が形成されている。この配線開口部封止部３１によって配線開口部１８が封止され、カバー１０の内側の照明部４の防水性が確保されている。リブ１９の高さやリブ１９から配線開口部１８端縁までの距離は、樹脂が充填される際にその樹脂が流動しやすいように、１ｍｍ以上であることが好ましい。
【００２７】
配線開口部封止部３１を形成する樹脂としては、封止材として使用されているものであれば特に制限されない。例えば、入手が容易で安価なエポキシ樹脂等の合成樹脂を用いることができる。
【００２８】
この実施形態では、カバー１０を貫通する配線部７が照明部４に設けられている場合において、カバー１０の内側の照明部４の防水性をより効果的に確保することができる。配線開口部１８周縁部のリブ１９の内側にのみ樹脂を充填すればよいので、多量の樹脂を必要とせず、また光出射面１５に与える影響を小さくすることができる。
【００２９】
図４に、さらに別の実施形態の照明装置を天井材に設置した状態の断面図を示す。図１−図２に示した照明装置と同じ部分には同一の符号を付し、その説明を省略する。
【００３０】
図１の照明装置１においては、照明部４の防水性を確保することが可能であるが、より信頼性を向上させるためには、照明部４が外乱環境より奥まった位置にある方がよい。例えば、バス用照明として浴室に照明装置を設置する場合、浴室側よりも天井裏面側に配置する方がより湿気の少ない環境下であるので信頼性がより一層向上する。
【００３１】
図４の照明装置１は、カバー１０と導光材とが一体に形成されている。すなわち、カバー部１１において、照明部４に対向する部分が照明ケース２の開口３から外方に突出して照明部４の光を導出する導光部２４が形成されている。導光部２４は、透光性を有し屈折率の高い部材で構成され、照明装置１の使用形態に応じて適宜の形状とされる。本実施形態では断面視略矩形状の長尺部材とされている。本実施形態では、導光部２４を含むカバー部１１及びフランジ部２６がアクリル樹脂やポリカーボネート樹脂等の透明性合成樹脂で一体成形されてカバー１０が形成されている。照明装置１は、天井材３２の裏面側に設置され、導光部２４が天井材３２を貫通して設けられ、導光部２４の発光面２５（光出射面１５）が室内側に露出されている。導光部２４の発光面２５の周縁部には、耐水性を有する合成樹脂やゴム等からなるシール材３３が配設され、天井材３２と導光部２４との間の隙間を通じて室内側から天井材３２の裏側に湿気が浸入しないように水密性が確保されている。
【００３２】
このように本実施形態では、天井材３２の裏面側に照明装置１が設置され、照明部４が外乱環境より奥まった位置にあるため、照明部４の防水性がより効果的に確保される。また、カバー部１１に導光部２４が形成されているので、照明部４が外乱環境より奥まった位置にあっても光学性能の低下が抑制される。
【００３３】
図５に、さらに別の実施形態の照明装置の断面図を示す。図１−図２に示した照明装置と同じ部分には同一の符号を付し、その説明を省略する。
【００３４】
本実施形態では、カバー１０のカバー部１１にレンズ面２０が形成され、カバー部１１がレンズ体として機能するなどカバー１０にレンズ機能が付与されている。
【００３５】
図５（ａ）の照明装置１は、カバー部１１の光出射面１５が凸面２１とされ、光出射面１５とは反対側の面（光源５に対向するカバー部１１の面）である光入射面１６が平坦面になっている。この照明装置１では、照明部４の光源５からの光が凸面２１に集光されるため、外部に照射される光量を増加させることができる。
【００３６】
図５（ｂ）の照明装置１は、カバー部１１の光出射面１５が凹面２２とされ、光入射面１６が平坦面になっている。この照明装置１では、照明部４の光源５からの光が凹面２２で拡散されるため、広範囲に外部に照射させることができる。
【００３７】
図５（ｃ）の照明装置１は、カバー部１１がプリズム形状を有している。すなわち、カバー部１１の光出射面１５が直線的に傾斜する傾斜面２３とされ、光入射面１６が平坦面になっており、カバー部１１の厚みが図の右側から左側に向かって厚くなっている。この照明装置１では、照明部４の光源５からの光の導出方向が傾斜面２３で変えられるため、外部に照射される光を所望の配光に制御することができる。
【００３８】
図５（ｄ）の照明装置１は、カバー部１１の光出射面１５が平坦面とされ、光入射面１６が凸面２１となっている。この照明装置１では、照明部４の光源５からの光が凸面２１に集光されるため、入光効率を高めることができる。また、カバー部１１の内側面１３において側面側（周側壁２ｂ側）にも凸面２１が形成されているため、光源５側方からの光の入光効率が高められている。
【００３９】
本実施形態では、光源５からの光が空気層１７とカバー部１１の２つの異なった屈折率を有する媒体を通過して外部に照射されている。このような屈折率の変化によって集光性、拡散性、変光性、入光効率等の光学性能がさらに高められている。また、本実施形態では、凸面２１や凹面２２等のレンズ面２０がカバー部１１の光出射面１５や光入射面１６の一方の面に形成されているが、これに限られず両面に形成されていてもよい。また、レンズ面２０についても上記したレンズ面以外にフレネルレンズ面や凹凸面とすることもできる。
【符号の説明】
【００４０】
１  照明装置
２  照明ケース
２ａ  底壁
２ｂ  周側壁
２ｃ  上端面
３  開口
４  照明部
７  配線部
１０  カバー
１１  カバー部
１２  開口部
１４  外側面
１５  光出射面
１７  空気層
１８  配線開口部
１９  リブ
２０  レンズ面
２４  導光部
２６  フランジ部
３０  封止部
３１  配線開口部封止部
【図１】
0005587681.tif 000002
【図２】
0005587681.tif 000003
【図３】
0005587681.tif 000004
【図４】
0005587681.tif 000005
【図５】
0005587681.tif 000006
【図６】
0005587681.tif 000007